(57)【要約】【課題】  任意のタイミングで点呼を中断することを可能とし、これにより円滑に点呼業務を進めることが可能な点呼装置等を提供する。【解決手段】  点呼装置１は、点呼内容記録画面１３０において点呼の中断を指示する「中断」ボタン１３４（中断指示手段）を備え、任意のタイミングで点呼の中断を自在に行える。中断する際は、点呼装置１は、中断が指示されたときまでに入力された各検査項目の検査内容のデータを中断データ２２として運転者の情報と対応付けてデータベース２に記憶し、点呼を再開する際にデータベース２から運転者の中断データ２２を読み出して、点呼内容記録画面１３０に反映して表示する。これにより未実施の検査項目から点呼を再開できる。【選択図】図１２
2020042328.tif 000002
【特許請求の範囲】
【請求項１】
運転者の情報の入力及び点呼に含まれる複数の検査項目についての検査内容の入力を受け付ける入力手段と、
点呼の中断を指示する中断指示手段と、
前記中断が指示されたときまでに前記入力手段により入力された各検査項目の検査内容のデータである中断データを前記運転者の情報と対応付けて記録する記録手段と、
を備えることを特徴とする点呼装置。
【請求項２】
点呼を開始する際、入力された運転者の情報に対応付けて前記中断データが前記記録手段に記憶されているか否かを判定する判定手段と、
前記中断データが記憶されていると判定した場合に、入力された運転者の情報に対応付けて記憶された前記中断データを読み出し、未実施の検査項目から検査内容の入力を受け付ける再開手段と、
を備えることを特徴とする請求項１に記載の点呼装置。
【請求項３】
運転免許証のＩＣチップから情報を読取る読取手段を更に備え、
前記運転者の情報は、運転免許証のＩＣチップから暗証番号の入力無しに読出せる運転免許証の基本情報であることを特徴とする請求項１または請求項２記載の点呼装置。
【請求項４】
前記入力手段は、少なくとも運転者と点呼執行者との間で対面で行う対面検査における複数の検査項目について検査内容の入力を受け付けることを特徴とする請求項１から請求項３のいずれかに記載の点呼装置。
【請求項５】
運転者の呼気中のアルコール濃度を測定するアルコール濃度測定手段を更に備え、
前記入力手段による入力は、前記アルコール濃度測定手段により測定されたアルコール濃度測定値の入力を含む
ことを特徴とする請求項１から請求項４のいずれかに記載の点呼装置。
【請求項６】
サーバと１または複数のクライアント端末とが互いに通信接続された点呼システムであって、
前記クライアント端末は、
運転者の情報の入力及び点呼に含まれる複数の検査項目の検査内容の入力を受け付ける入力手段と、
点呼の中断を指示する中断指示手段と、
前記中断が指示されたときまでに前記入力手段により入力された各検査項目の検査内容のデータである中断データを前記運転者の情報と対応づけて前記サーバに送信する送信手段と、を備え、
前記サーバは、
前記クライアント端末から送信された中断データ及び運転者の情報を受信する受信手段と、
前記受信手段により受信した中断データを前記運転者の情報と対応付けて記憶する記録手段と、
を備えることを特徴とする点呼システム。
【請求項７】
コンピュータが、
運転者の情報の入力及び点呼に含まれる複数の検査項目についての検査内容の入力を受け付けるステップと、
点呼の中断を指示するステップと、
前記中断が指示されたときまでに入力された各検査項目の検査内容のデータである中断データを前記運転者の情報と対応付けて記憶するステップと、
を含むことを特徴とする点呼方法。
【請求項８】
コンピュータを、
運転者の情報の入力及び点呼に含まれる複数の検査項目についての検査内容の入力を受け付ける入力手段、
点呼の中断を指示する中断指示手段、
前記中断が指示されたときまでに前記入力手段により入力された各検査項目の検査内容のデータである中断データを前記運転者の情報と対応付けて記憶する記録手段、
として機能させるためのプログラム。
【発明の詳細な説明】
【技術分野】
【０００１】
本発明は、運送業等で実施される点呼を支援する点呼装置、点呼システム、点呼方法、及びプログラムに関する。
【背景技術】
【０００２】
運送業等の事業者は、運転者が車両に乗務する前後に対面等で点呼を実施している。乗務前の出庫時点呼では、運転者からの日常点検の報告、運転者本人の健康状態、酒気帯びの有無についての報告、確認を行い、安全を確保するために必要な指示を行っている。１日の乗務を終了し帰庫したときも同様に、対面等により点呼を実施し、乗務した車両、道路、運行の状況等について報告を受けるとともに、酒気帯びの有無について確認を行っている。
【０００３】
このような点呼業務を支援するため、コンピュータを用いたシステムが利用されている。従来のシステムでは、点呼において点呼執行者及び被点呼者の対話によって確認される項目に対応する種々の入力欄を含む点呼支援画面を表示し、確認項目に対する値の入力を操作部から受け付ける。確認項目は、例えば、「体調に異常はありませんか？」、「睡眠は十分取れましたか？」等の被点呼者の健康状態の項目や、「日常車両点検の結果に問題はありませんか？」、「免許証、運行指示書等携行品を携帯していますか？」、「本日の業務予定を十分把握できていますか？」等の項目が含まれる（特許文献１）。また、特許文献１の点呼支援装置では、被点呼者の爪の状態を読み取って被点呼者の健康状態の判定を実行し、判定の結果を表示部に表示させている。
【先行技術文献】
【特許文献】
【０００４】
【特許文献１】特開２０１６−１２６４９３号公報
【発明の概要】
【発明が解決しようとする課題】
【０００５】
しかしながら、現在利用されている点呼支援システムでは、点呼執行者や運行管理者が、システムの提供する点呼フロー通りに点呼を行っている。また、業者によっては通常の点呼フローに加え、服装チェックや持ち物チェック等も行うこともある。そのため、一人当たりの点呼に要する時間が長くなり、朝夕の混雑する時間帯には待ち時間が長くなるという問題があった。また、システムの提供する点呼フロー通りでは、点呼を一旦始めてしまうと途中で中断することができないため、点呼実施中に被点呼者の準備に不備があることが分かった場合には、点呼を最初から点呼フロー通りにやり直す必要があり、不備のなかった項目についても再入力しなければならなかった。
【０００６】
本発明は、このような課題に鑑みてなされたもので、任意のタイミングで点呼を中断することを可能とし、これにより円滑に点呼業務を進めることが可能な点呼装置、点呼システム、点呼方法、及びプログラムを提供することを目的とする。
【課題を解決するための手段】
【０００７】
前述した課題を解決するための第１の発明は、運転者の情報の入力及び点呼に含まれる複数の検査項目についての検査内容の入力を受け付ける入力手段と、点呼の中断を指示する中断指示手段と、前記中断が指示されたときまでに前記入力手段により入力された各検査項目の検査内容のデータである中断データを前記運転者の情報と対応付けて記録する記録手段と、を備えることを特徴とする点呼装置である。
【０００８】
第１の発明によれば、点呼装置は、運転者の情報の入力及び点呼に含まれる複数の検査項目についての検査内容の入力を受け付け、点呼の中断が指示されると、中断が指示されたときまでに入力された各検査項目の検査内容のデータである中断データを運転者の情報と対応付けて記録する。これにより、任意のタイミングで点呼を中断することが可能となる。また操作者が中断を指示した場合には、中断が指示されたときまでに入力された検査内容のデータを点呼装置が自動で記録するため、再開する場合に点呼をはじめからやり直す必要が無く、中断したところから点呼を再開できる。
【０００９】
第１の発明において、点呼を開始する際、入力された運転者の情報に対応付けて前記中断データが前記記録手段に記憶されているか否かを判定する判定手段と、前記中断データが記憶されていると判定した場合に、入力された運転者の情報に対応付けて記憶された前記中断データを読み出し、未実施の検査項目から検査内容の入力を受け付ける再開手段と、を備えることが望ましい。これにより、点呼を再開する際に運転者の情報を入力すれば、その運転者についての点呼の中断データを読み出して、未実施の検査項目から検査内容の入力を再開できる。これにより、操作者は中断データを読み出す操作を行う必要もなく、円滑に点呼の再開を行える。
【００１０】
また、第１の発明において、運転免許証のＩＣチップから情報を読取る読取手段を更に備え、前記運転者の情報は、運転免許証のＩＣチップから暗証番号の入力無しに読出せる運転免許証の基本情報であることが望ましい。これにより、運転免許証から基本情報を読み取って運転者情報を入力できるため、操作の手間を省くことができる。
【００１１】
また、前記入力手段は、少なくとも運転者と点呼執行者との間で対面で行う対面検査における複数の検査項目について検査内容の入力を受け付けることが望ましい。また、運転者の呼気中のアルコール濃度を測定するアルコール濃度測定手段を更に備え、前記入力手段による入力は、前記アルコール濃度測定手段により測定されたアルコール濃度測定値の入力を含むことが望ましい。これにより対面検査やアルコール濃度の確認を含む点呼を本発明の点呼装置で行うことが可能となる。
【００１２】
第２の発明は、サーバと１または複数のクライアント端末とが互いに通信接続された点呼システムであって、前記クライアント端末は、運転者の情報の入力及び点呼に含まれる複数の検査項目の検査内容の入力を受け付ける入力手段と、点呼の中断を指示する中断指示手段と、前記中断が指示されたときまでに前記入力手段により入力された各検査項目の検査内容のデータである中断データを前記運転者の情報と対応づけて前記サーバに送信する送信手段と、を備え、前記サーバは、前記クライアント端末から送信された中断データ及び運転者の情報を受信する受信手段と、前記受信手段により受信した中断データを前記運転者の情報と対応付けて記憶する記録手段と、を備えることを特徴とする点呼システムである。
【００１３】
第２の発明によれば、点呼システムのクライアント端末は、運転者の情報の入力及び点呼に含まれる複数の検査項目についての検査内容の入力を受け付け、点呼の中断が指示されると、中断が指示されたときまでに入力された各検査項目の検査内容のデータである中断データを運転者の情報と対応付けてサーバに送信する。サーバは、クライアント端末から送信された中断データを受信して運転者の情報と対応付けて記録する。これにより、任意のタイミングで点呼を中断することが可能となる。また操作者が中断を指示した場合には自動で中断が指示されたときまでに入力された検査内容のデータがサーバに記録されるため、クライアント端末で点呼を再開する場合に点呼をはじめからやり直す必要が無く、中断したところから点呼を再開できる。
【００１４】
第３の発明は、コンピュータが、運転者の情報の入力及び点呼に含まれる複数の検査項目についての検査内容の入力を受け付けるステップと、点呼の中断を指示するステップと、前記中断が指示されたときまでに入力された各検査項目の検査内容のデータである中断データを前記運転者の情報と対応付けて記憶するステップと、を含むことを特徴とする点呼方法である。
【００１５】
第３の発明によれば、コンピュータを用いて、運転者の情報の入力及び点呼に含まれる複数の検査項目についての検査内容の入力を受け付け、点呼の中断が指示されると、中断が指示されたときまでに入力された各検査項目の検査内容のデータである中断データを運転者の情報と対応付けて記録することができる。これにより、任意のタイミングで点呼を中断することが可能となる。また操作者が中断を指示した場合には点呼装置が自動で中断が指示されたときまでに入力された検査内容のデータを記録するため、再開する場合に点呼をはじめからやり直す必要が無く、中断したところから点呼を再開できる。
【００１６】
第４の発明は、コンピュータを、運転者の情報の入力及び点呼に含まれる複数の検査項目についての検査内容の入力を受け付ける入力手段、点呼の中断を指示する中断指示手段、前記中断が指示されたときまでに前記入力手段により入力された各検査項目の検査内容のデータである中断データを前記運転者の情報と対応付けて記憶する記録手段、として機能させるためのプログラムである。
【００１７】
第４の発明により、コンピュータを第１の発明の点呼装置として機能させることが可能となる。
【発明の効果】
【００１８】
本発明により、任意のタイミングで点呼を中断することを可能とし、これにより円滑に点呼業務を進めることが可能な点呼装置、点呼システム、点呼方法、及びプログラムを提供できる。
【図面の簡単な説明】
【００１９】
【図１】点呼システム１０の全体構成を示す図。
【図２】点呼装置１のハードウェア構成を示す図。
【図３】点呼システム１０の機能構成を示す図。
【図４】免許証データ２１の例を示す図。
【図５】免許証登録画面２００を示す図。
【図６】中断データ２２の例を示す図。
【図７】点呼システム１０の処理の流れを示すフローチャート。
【図８】点呼画面１００を示す図。
【図９】運転免許確認画面１１０の例。
【図１０】アルコール検査画面１２０の例。
【図１１】点呼内容記録画面１３０の例。
【図１２】「中断」ボタン１３４を押下した際に表示されるダイアログボックス１５０の例。
【図１３】点呼を再開する場合の処理の流れを示すフローチャート。
【図１４】中断データ２２がある場合に表示されるダイアログボックス１６０の例。
【図１５】（ａ）中断できない場合の点呼フローと所要時間、（ｂ）中断可能な場合の点呼フローと所要時間を説明する図。
【図１６】（ａ）中断できない場合の点呼フローと所要時間、（ｂ）中断可能な場合に分散して行う点呼フローと所要時間を説明する図。
【図１７】点呼システム１０Ａの全体構成を示す図。
【図１８】点呼システム１０Ａの機能構成を示す図。
【図１９】点呼システム１０Ａの処理の流れを示すフローチャート。
【図２０】点呼を再開する場合の処理の流れを示すフローチャート。
【発明を実施するための形態】
【００２０】
以下、図面に基づいて本発明の実施形態を詳細に説明する。
【００２１】
［第１の実施形態］
図１は本発明の実施形態に係る点呼システム１０の全体構成を示す図である。図１に示すように、点呼システム１０は、点呼装置１、読取装置５、カメラ６、及びアルコール検知器７等を有する。また、点呼装置１はデータベース２を有する。
【００２２】
点呼装置１は、運送業等の事業者において、運転者の点呼やアルコール検査に関する処理を実行する。
【００２３】
図２は点呼装置１のハードウェア構成を示す図である。図２に示すように、点呼装置１は、制御部１１、記憶部１２、メディア入出力部１３、通信制御部１４、入力部１５、表示部１６、周辺機器I/F部１７等がバス１９を介して接続されたコンピュータにより実現できる。なお、図２に示す構成は一例であり、点呼装置１は用途、目的に応じて様々な構成を採ることが可能である。例えば、点呼装置１は、タブレット、携帯端末、ノートＰＣ、デスクトップＰＣ等を用いて実現することができる。
【００２４】
制御部１１は、CPU、ROM、RAM等を有する。CPUは、記憶部１２やROM等の記録媒体に格納されるプログラムをRAM上のワークメモリ領域に呼び出して実行し、バス１９を介して接続された各部を駆動制御して点呼装置１の後述する各処理を実現する。ROMは不揮発性メモリであり、コンピュータのブートプログラムやBIOS等のプログラム、データ等を恒久的に保持している。RAMは揮発性メモリであり、記憶部１２やROM等の記録媒体からロードしたプログラムやデータを一時的に保持するとともに、制御部１１が各種処理を行う為に使用するワークエリアを備える。
【００２５】
記憶部１２は、ハードディスクドライブやフラッシュメモリ等であり、制御部１１が実行するプログラム、プログラム実行に必要なデータ、OS等が格納される。特に本実施形態では、後述する処理を点呼装置１に実行させるためのアプリケーションプログラム及びデータベース２が記憶部１２に格納される。
【００２６】
メディア入出力部１３は、メモリカード等の記録媒体（メディア）に対しデータを書込んだりデータを読み出したりするためのインタフェースである。
【００２７】
通信制御部１４は、点呼装置１の通信を媒介する通信インタフェースであり、ネットワークを介した他の装置等との通信の制御を行う。ネットワークは、有線、無線を問わない。
【００２８】
入力部１５は、キーボード、マウス、タッチパネル等の入力装置を含む。入力部１５は、入力装置を介して入力されたデータや操作指示を制御部１１に送信する。
【００２９】
表示部１６は、液晶パネル等のディスプレイ等を備え、制御部１１の指示に従って画像やテキスト等のデータをディスプレイに表示する。
【００３０】
周辺機器I/F（インタフェース）部１７は、周辺機器を接続するためのポートであり、制御部１１は周辺機器I/F部１７を介して周辺機器とのデータの送受信を行う。
【００３１】
図１の説明に戻る。読取装置５は運転者の運転免許証を読取るものであり、リーダ及びスキャナを備える。リーダは運転免許証のICチップ（不図示）に格納されている運転免許証の基本情報を読出す。基本情報については後述する。スキャナは、ガラス台に置かれた運転免許証をCCD（Charge Coupled Device）やCMOS（Complementary Metal Oxide Semiconductor）等の撮像素子によって撮影し、免許証画像を取得する。
【００３２】
アルコール検知器７は、運転者の呼気のアルコール濃度を測定するものである。アルコール検知器７としては既知のものを用いることができる。
【００３３】
カメラ６は、例えばCCDやCMOS等の撮像素子を用いたカメラであり、点呼時の運転者の姿を動画として撮影する。
【００３４】
図３は、点呼システム１０の機能構成を示す図である。図３に示すように、点呼システム１０の点呼装置１は、アルコール濃度入力部３１、検査内容入力部３２、免許証情報取得部３３、運転者情報入力部３４、記録部３５、中断指示部３６等を有する。また、記憶部１２のデータベース２には免許証データ２１、中断データ２２等が格納される。
【００３５】
アルコール濃度入力部３１は、アルコール検知器７から入力される運転者の呼気中のアルコール濃度の測定値を取得し、記録部３５に入力する。
【００３６】
検査内容入力部３２は、点呼に含まれる複数の検査項目についての検査内容の入力を受け付ける。点呼には、上述のアルコール検査の他、運転者と点呼執行者との間で対面で行う対面点呼、及び運転者が自ら実施し入力する自己検査等が含まれる。対面点呼には、例えば、健康状態の確認、記載事項の確認、指示事項の確認、免許証情報の確認（本人確認）、車両の確認、作業内容の確認等の検査項目が含まれる。また自己検査には、天候、睡眠時間、服装、持ち物等の検査項目が含まれる。
【００３７】
免許証情報取得部３３は、運転免許証のICチップに格納されている情報である免許証データ２１を取得する。
【００３８】
図４に示すように、免許証データ２１は、運転者の運転免許証の免許証番号２１１、交付年月日２１２、有効期限２１３、免許証画像２１４、運転者の氏名２１５、生年月日２１６、免許取得日２１７、免種２１８、免許条件２１９等の情報を記録したものである。これらの情報は運転者ごとにデータベース２に登録される。免種２１８は例えば、大特、大型、大型（マイクロ限定）、中型、中型（8t限定）、準中型、準中型（5t限定）、普通等である。
【００３９】
免許証画像２１４を除く情報は運転免許証のICチップにも格納されており、このうち免許証番号２１１、交付年月日２１２、有効期限２１３は暗証番号の入力無しにICチップから読出せる基本情報２１０である。
【００４０】
免許証データ２１の登録は、図５に示すような免許証登録画面２００を点呼装置１の表示部１６に表示させて行うことができる。免許証登録画面２００は、免許証画像表示欄２０１、基本情報表示欄２０２、免許証データ入力欄２０４、「登録」ボタン２０６、及び「暗証番号入力」ボタン２０７等を有する。この他、免許証登録画面２００では運転免許証の読取指示を行うためのボタンや前画面に戻るためのボタン、操作ガイド等を表示させてもよい。
【００４１】
免許証データ２１の登録時、運転者は読取装置５で運転免許証を読取らせる。すなわち、読取装置５によって運転免許証のICチップから基本情報２１０を読出すとともに運転免許証の撮影を行い、免許証画像２１４を取得して、読取装置５から点呼装置１に基本情報２１０と免許証画像２１４を入力する。免許証画像２１４は免許証画像表示欄２０１に表示され、基本情報２１０（免許証番号２１１、交付年月日２１２、有効期限２１３）は基本情報表示欄２０２に表示される。
【００４２】
基本情報表示欄２０２には、運転免許証が偽造されたものであるか否かの偽造判定の結果２０２１、及び有効期限２１３までの残日数２０２２等も表示される。偽造判定は免許証画像２１４を用いて行うことができ、残日数２０２２は運転免許証を読取った日から有効期限２１３までの日数として点呼装置１が算出する。これらの情報を確認することで、有効な運転免許証の免許証データ２１のみを登録することができる。
【００４３】
免許証データ入力欄２０４は、基本情報２１０と免許証画像２１４以外の免許証データ２１の情報を入力するものである。当該情報は各入力欄にタイプ等して直接入力できるが、「暗証番号入力」ボタン２０７を押下することにより自動入力することもできる。すなわち、「暗証番号入力」ボタン２０７を押下して暗証番号入力画面（不図示）を表示させ、当該画面に運転免許証の暗証番号を入力することで、基本情報２１０と免許証画像２１４以外の免許証データ２１の情報が運転免許証のICチップから読出され、免許証データ入力欄２０４の各入力欄に自動入力される。
【００４４】
「登録」ボタン２０６は免許証データ２１を登録するためのボタンである。「登録」ボタン２０６を押下すると、点呼装置１は入力された免許証データ２１をデータベース２に登録する。
【００４５】
図３の説明に戻る。運転者情報入力部３４は、点呼を行う運転者の情報を入力する。運転者の情報とは、運転者を識別する情報であり、例えば、免許証の基本情報２１０に含まれる免許証番号２１１を運転者の情報とすることができる。免許証番号２１１を運転者の情報とする場合、運転者情報入力部２３は、免許証情報取得部３３が読取装置５により読み取った免許証データ２１の基本情報２１０を取得すると、基本情報２１０から運転者情報として免許証番号２１１を抽出して記録部３５に入力する。また、運転者情報入力部３４は、データベース２に免許証番号２１１と対応づけて登録されている運転者の氏名２１５や免許証画像２１４等を運転者情報として読み出し、記録部３５に入力してもよい。
【００４６】
記録部３５は、アルコール濃度入力部３１により入力されたアルコール濃度及び検査内容入力部３２により入力された各検査項目の検査内容を、運転者情報入力部３４により入力された運転者情報と対応付けてＲＡＭまたは記憶部１２に記録する。また、記録部３５は、中断指示部３６から点呼の中断指示が入力されると、中断が指示されたときまでに入力された各検査項目の検査内容のデータ（アルコール濃度を含む）を運転者情報と対応付けて中断データ２２としてデータベース２に記憶する。
【００４７】
中断指示部３６は、点呼の中断指示を入力する操作部である。例えば、点呼内容記録画面に「中断」ボタン１３４として設けられる。
【００４８】
図６は、中断データ２２の内容の一例を示す図である。図６に示すように、中断データ２２には、実施した検査項目（アルコール濃度２２２、健康状態２２３、睡眠時間２２４、服装２２５、持ち物２２６・・・）等についての検査内容が運転者情報２２１と対応づけて記録される。検査未実施の検査項目については検査内容が記録されない。中断データ２２はデータベース２に保持され、点呼が再開される際に呼び出される。再開後に実施される検査項目についての検査内容が中断データ２２に追加記録される。なお、中断データ２２は記録したときから所定時間が経過すると自動的に消去されることが望ましい。これは、検査実施からある程度時間が経過すると検査結果が変わってしまうことがあるからである。
【００４９】
次に、図７等を参照して点呼システム１０における点呼方法の流れを説明する。図７は点呼システム１０の処理を示すフローチャートであり、図のＳ１０１、Ｓ１０４〜Ｓ１０８、Ｓ１１１〜Ｓ１１９は点呼装置１の制御部１１が実行する処理である。Ｓ１０２、１０３は読取装置５の制御部（不図示）が、Ｓ１０９、Ｓ１１０はアルコール検知器７の制御部（不図示）がそれぞれ実行する。
【００５０】
点呼装置１は、点呼執行者の指示入力に応じてアプリケーションを起動し、図８に示すような点呼画面１００を表示する（ステップＳ１０１）。点呼画面１００は、運転免許確認画面１１０、アルコール検査画面１２０、点呼内容記録画面１３０、点呼状況確認画面１４０等を有する。
【００５１】
運転免許確認画面１１０には、「免許証をかざしてください」等の操作ガイドが表示される。運転者が運転免許証を読取装置５にかざすと、読取装置５は運転免許証のICチップから基本情報２１０を読出し（ステップＳ１０２）、基本情報２１０を点呼装置１に送信する（ステップＳ１０３）。
【００５２】
点呼装置１は、基本情報２１０を受信する（ステップＳ１０４）と、当該基本情報２１０を含む免許証データ２１をデータベース２から抽出し（ステップＳ１０５）、これにより運転免許証をかざした運転者がシステム上で特定される。なお、基本情報２１０を含む免許証データ２１がデータベース２に未登録である場合は、運転者がかざした運転免許証が無効である旨を運転免許確認画面１１０に表示することが可能である。
【００５３】
ここで、点呼装置１は、ステップＳ１０５で特定した運転者について、点呼の中断データ２２がデータベース２に記憶されているか否かを判定する（ステップＳ１０６）。中断データ２２がデータベース２に格納されている場合は（ステップＳ１０６；Ｙｅｓ）、点呼が中断された状態であるため、図１３のステップＳ１２０の処理へ移行する。図１３の処理については後述する。
【００５４】
ステップＳ１０６において、運転者の中断データ２２が記憶されていないと判定した場合（ステップＳ１０６；Ｎｏ）、点呼装置１は、点呼処理を開始する。まず、点呼装置１は、ステップＳ１０５で抽出した免許証データ２１を運転免許確認画面１１０に表示する（ステップＳ１０７）。図９はこの時の運転免許確認画面１１０の例であり、免許証データ２１として有効期限２１３、免許証画像２１４、運転者の氏名２１５、免種２１８、免許条件２１９等が表示される。また、運転免許確認画面１１０では有効期限２１３までの残日数１１１、点呼日時１１２（現在日時）、「出庫」ボタン１１３、「中間」ボタン１１４、「帰庫」ボタン１１５等も表示される。
【００５５】
なお、残日数１１１は、点呼日時１１２と有効期限２１３を比較して点呼装置１が算出する。また、「出庫」ボタン１１３は、点呼履歴情報を出庫時点呼として記録するためのボタンである。「中間」ボタン１１４は、点呼履歴情報を乗務前後ではない（出庫と帰庫の間の）点呼として記録するためのボタンである。「帰庫」ボタン１１５は、点呼履歴情報を帰庫時点呼として記録するためのボタンである。
【００５６】
運転者は運転免許確認画面１１０の免許証画像２１４や有効期限２１３等を見て運転免許が有効であることを確認し、「出庫」ボタン１１３、「中間」ボタン１１４、「帰庫」ボタン１１５のいずれかを押下する。すると、点呼装置１は、運転免許の確認結果（運転免許証が有効であること）、及び点呼日時１１２を記憶部１２等に記録する（ステップＳ１０８）。
【００５７】
本実施形態では、出庫時点呼を行う例について説明し、ここでは「出庫」ボタン１１３が押下されるものとする。なお、「出庫」ボタン１１３、「中間」ボタン１１４、「帰庫」ボタン１１５のいずれかが押下されるまでは運転免許を未確認である旨のマークを運転免許確認画面１１０に表示しておき、「出庫」ボタン１１３、「中間」ボタン１１４、「帰庫」ボタン１１５のいずれかが押下されると、運転免許を確認済である旨のマークを運転免許確認画面１１０に表示するようにしてもよい。
【００５８】
続いて、点呼装置１はアルコール検査画面１２０に図１０（ａ）に示すような初期画面を表示する。アルコール検査画面１２０では、カメラ６により撮影される運転者のリアルタイムの動画１２１が表示されるとともに、「呼気を吹きかけてください」のような操作ガイドがメッセージ欄１２２に表示される。運転者がアルコール検知器７の測定ボタン（不図示）を押し、アルコール検知器７に呼気を吹きかけると、アルコール検知器７は呼気中のアルコール濃度を測定し（ステップＳ１０９）、測定値を点呼装置１に送信する（ステップＳ１１０）。
【００５９】
点呼装置１は、アルコール濃度の測定値を受信する（ステップＳ１１１）と、図１０（ｂ）に示すように受信した測定値をアルコール濃度欄１２３に表示する（ステップＳ１１２）。メッセージ欄１２２には解析を完了した旨や操作ガイドが表示される。なお、アルコール濃度の測定値はアルコール濃度欄１２３に直接入力することも可能である。
【００６０】
アルコール検査画面１２０の「確定」ボタン１２４はアルコール濃度の測定値を確定するためのボタンであり、点呼執行者または運転者がアルコール濃度を確認し、「確定」ボタン１２４を押下することで、アルコール濃度の測定値が記憶部１２等に記録される（ステップＳ１１３）。
【００６１】
なお、点呼装置１はアルコール濃度の測定値を所定値と比較する等して運転者の乗務の可否を判定し、ステップＳ１１３においてその判定結果を測定値とともに記録することも可能である。また前記と同様、「確定」ボタン１２４が押下されるまではアルコール検査を未実行である旨のマークをアルコール検査画面１２０に表示しておき、「確定」ボタン１２４が押下されると、アルコール検査を実行済である旨のマークをアルコール検査画面１２０に表示するようにしてもよい。
【００６２】
続いて、運転者は点呼に含まれる各検査項目について検査を実施する。検査には、点呼執行者と対面して行う対面検査と、運転者自身が検査内容を記録する自己検査とがある。いずれの検査も検査内容が点呼内容記録画面１３０に入力され、点呼装置１は検査内容の入力を受付ける（ステップＳ１１４）。対面検査には、健康状態の確認、記載事項の確認、指示事項の確認、作業内容の確認、免許証情報の確認（運転者の本人確認）、及び車両の確認等が含まれる。自己検査には、睡眠時間、服装、持ち物、天候の入力等が含まれる。
【００６３】
ステップＳ１１４で図１１に示す点呼内容記録画面１３０の点呼内容入力欄１３１に検査内容が入力されると、点呼装置１は入力された検査内容を表示するとともにＲＡＭに記録する（ステップＳ１１５）。点呼内容入力欄１３１では、点呼時の天候１３１０、運転者の健康状態１３１１、睡眠時間１３１２、服装１３１３、持ち物１３１４、記載事項１３１５、指示事項１３１６、点呼執行者の氏名１３１７、ドライバーの氏名１３１８、車両ナンバー１３１９、車格１３２０、車検満了日１３２１、作業内容１３２２等が入力される。
【００６４】
例えば天候１３１０は晴、曇、風、雨、雪等の天候状態の中から選択し、入力することできる。また運転者の健康状態１３１１の初期値は「○」であるが、特記事項が入力されると「○」の表示が消えて当該特記事項が表示される。睡眠時間１３１２は運転者の睡眠時間が入力されると入力された値が表示される。ドライバーの氏名１３１８については、ステップＳ１０５で抽出された免許証データ２１から自動入力される。
【００６５】
また、点呼内容入力欄１３１では、運転者が運転する車両の車両情報（車両ナンバー１３１９、車格１３２０、車検満了日１３２１）等も入力される。例えば、車両ナンバー１３１９の入力欄に「車両ナンバーを選択してください」といった操作ガイドが表示され、点呼執行者がこの入力欄を選択すると、点呼装置１は予め記憶部１２に記憶されている車両データ（不図示）を参照し、ステップＳ１０５で得た免許証データ２１の免種２１８に対応する種類の車両の車両ナンバーを全て抽出し、抽出した車両ナンバーをプルダウンリスト等により選択可能に表示する。点呼執行者が運転者との間の点呼結果に基づき運転者の運転する車両の車両ナンバーを選択すると、点呼装置１は、その車両ナンバーに対応する車格、車検満了日を車両データから抽出し、点呼内容入力欄１３１の車格１３２０の欄、車検満了日１３２１の欄に自動入力し、表示する。その他の点呼内容は入力欄に直接入力できるが、入力候補を選択肢として表示し、そこから選択することによって入力を行うこともできる。
【００６６】
未実施の検査項目が残っている状態で「中断」ボタン１３４が押下されると（ステップＳ１１６；Ｙｅｓ）、点呼装置１は、図１２に示すようなダイアログボックス１５０を表示する。ダイアログボックス１５０には、「点呼状態を保存して中断しますか？」といった中断を確認する旨のメッセージ１５１が表示されるとともに、「はい」ボタン１５２、「いいえ」ボタン１５３が表示される。「はい」ボタン１５２が押下されると、点呼装置１の制御部１１は点呼を中断し、ここまでに入力された各検査項目の検査内容のデータである中断データ２２を生成し、運転者の情報と対応付けて記憶部１２（データベース２）に記憶する（ステップＳ１１７）。ダイアログボックス１５０において「いいえ」ボタン１５３が押下された場合は（ステップＳ１１６；Ｎｏ）、ダイアログボックス１５０の表示を消去し、元の表示状態（点呼内容記録画面１３０）に戻す。
【００６７】
このようにして点呼内容記録画面１３０において、各検査項目の検査内容が全て入力され、点呼執行者により各入力欄の点呼内容が確認される。点呼執行者は運転者が車両ナンバー１３１９の車両による乗務を行えることを確認すると、「点呼終了」ボタン１３５を押下する（ステップＳ１１６；Ｎｏ→ステップＳ１１８；Ｙｅｓ）。すると、点呼装置１は、点呼内容入力欄１３１に入力された点呼内容を記憶部１２に記録する（ステップＳ１１９）。「点呼終了」ボタン１３５が押下されるまでは点呼が未実行である旨のマークを点呼内容記録画面１３０に表示しておき、「点呼終了」ボタン１３５が押下されると、点呼を実行済である旨のマークを点呼内容記録画面１３０に表示するようにしてもよい。この場合、「中断」ボタン１３４が押下された場合は点呼が未実行である旨のマークが表示される。
【００６８】
また、点呼執行者が「記録」ボタン１３７を押下することにより、点呼装置１はＲＡＭまたは記憶部１２等に記録されている運転免許証の確認結果、点呼日時、アルコール濃度の測定値、点呼内容等を紐づけて点呼履歴情報として記憶部１２に登録する（ステップＳ１１９）。点呼履歴情報は、図９の「出庫」ボタン１１３、「中間」ボタン１１４、「帰庫」ボタン１１５のうちどれが押下されていたかに応じて、出庫時のもの、乗務前後でないもの（出庫と帰庫の間のもの）、帰庫時のもののどれかとして登録される。なお、カメラ６により撮影された運転者の動画あるいは当該動画の所定のタイミングを切出した静止画を点呼履歴情報として登録することも可能である。
【００６９】
点呼履歴情報は点呼状況確認画面１４０（図８）に表示され、これを確認したり、点呼記録簿として印刷出力したりすることが可能である。点呼状況確認画面１４０では、運転者が帰庫済である、出庫済であるが未帰庫である等の運転者の乗務状況ごとに点呼履歴情報を表示することも可能である。なお、図１１に示す点呼内容記録画面１３０では、点呼内容記録画面１３０を閉じるためのボタンや点呼内容入力欄１３１に入力された内容を消去するための「クリア」ボタン１３６が設けられる。
【００７０】
次に、中断された点呼を再開する場合の処理の流れについて、図１３〜図１４を参照して説明する。図１３のＳ１２０〜Ｓ１２２の処理は点呼装置１の制御部１１が実行する処理である。
【００７１】
点呼を開始する場合と同様に、点呼装置１は、点呼執行者または運転者の指示入力に応じてアプリケーションを起動し、図８に示すような点呼画面１００を表示する（ステップＳ１０１）。運転免許確認画面１１０に表示される操作ガイドに従って、運転者が運転免許証を読取装置５にかざすと、読取装置５は運転免許証のICチップから基本情報２１０を読出し（ステップＳ１０２）、基本情報２１０を点呼装置１に送信する（ステップＳ１０３）。
【００７２】
点呼装置１は、基本情報２１０を受信する（ステップＳ１０４）と、当該基本情報２１０を含む免許証データ２１をデータベース２から抽出し（ステップＳ１０５）、これにより運転免許証をかざした運転者がシステム上で特定される。点呼装置１は、ステップＳ１０５で特定した運転者の点呼の中断データ２２がデータベース２に格納されているか否かを判定する（ステップＳ１０６）。中断データ２２がデータベース２に格納されている場合は（ステップＳ１０６；Ｙｅｓ）、点呼装置１は図１４に示すようなダイアログボックス１６０を表示し、点呼を再開するか否かを確認する。ダイアログボックス１６０には、「中断データがあります。再開しますか？」といった点呼を再開するか否かを確認するメッセージ１６１が表示されるとともに、「はい」ボタン１６２、「いいえ」ボタン１６３が表示される。
【００７３】
「はい」ボタン１６２が押下されると、点呼装置１は図１３のステップＳ１２０の処理へ移行する。ダイアログボックス１６０において「いいえ」ボタン１６３が押下された場合は、ダイアログボックス１６０の表示を消去し、元の表示状態（運転免許確認画面１１０）に戻す。
【００７４】
点呼が再開される場合、図１３のフローチャートに示すように、点呼装置１の制御部１１は、データベース２からステップＳ１０５で特定した運転者の中断データ２２を読み出し（ステップＳ１２０）、点呼内容記録画面１３０の各入力欄に中断データ２２の内容を反映して表示する（ステップＳ１２１）。点呼執行者は表示内容を確認した後、点呼を再開する（ステップＳ１２２）。点呼装置１は検査未実施項目について入力を受付け、図７のステップＳ１１４以降の処理へ移行する。
【００７５】
以上説明したように、本発明の点呼システム１０によれば、点呼装置１は点呼内容記録画面１３０において点呼の中断を指示する「中断」ボタン１３４（中断指示手段）を備え、任意のタイミングで点呼の中断できる。中断する際は、点呼装置１は、中断が指示されたときまでに入力された各検査項目の検査内容のデータを中断データ２２として運転者の情報と対応付けてデータベース２に記憶する。また、点呼を再開する際は、点呼装置１はデータベース２から運転者の中断データ２２を読み出して点呼内容記録画面１３０に反映して表示する。これにより未実施の検査項目から円滑に点呼を再開できる。このように、点呼を中断可能とすることで、例えば、運転者が自分で確認できる検査（服装、持ち物、免許証情報、アルコール濃度等）を運転者の都合のよいタイミングで実施しておき、点呼執行者との対面で行う対面検査を点呼執行者及び運転者の双方の都合のよいタイミングで行うことが可能となる。これにより点呼業務を分散して効率よく行うことが可能となる。
【００７６】
点呼業務の分散について、図１５、図１６を参照して具体的に説明する。
図１５（ａ）は点呼の中断ができない場合、図１５（ｂ）は本発明のように、点呼が中断可能な場合の点呼の流れの一例を示している。
点呼の検査項目に、点呼システム１０が実行する免許証確認処理、及びアルコール確認処理の他、点呼の検査項目として健康状態、事前点検、睡眠時間、服装、持ち物、及び指示事項の確認が含まれる場合、これらを点呼執行者と対面で、中断なしで行うのに必要な時間をＡとする。
【００７７】
一方、図１５（ｂ）に示すように、睡眠時間、服装、持ち物の確認については点呼執行者と対面で行わず運転者自身が点呼装置１に入力することとし、健康状態、事前点検、及び指示事項の確認のみを点呼執行者と運転者との対面で行う場合は、免許証確認処理、アルコール確認処理、睡眠時間、服装、持ち物の確認（事前入力）までの検査を運転者が点呼システム１０を利用して行い、ここで点呼を一旦中断することができる。そして、点呼執行者と運転者との対面で行う検査（健康状態、事前点検、及び指示事項の確認）を別のタイミングで行うことができる。図１５（ｂ）の例において、運転者が点呼システム１０を利用して行う検査（免許証確認、アルコール確認、睡眠時間、服装、持ち物の事前入力）に必要な時間をＢ、点呼を再開して対面検査を行う（入力項目の確認、健康状態、事前点検、及び指示事項の確認）のに必要な時間をＣとする。
【００７８】
そして、時間の長さＡ，Ｂ，Ｃの関係を以下のように仮定する。
Ａ＜Ｂ＋Ｃ
Ａ＞Ｂ
Ａ＞Ｃ
【００７９】
図１６（ａ）に示すように、点呼執行者が１人で複数の運転者（例えば、４人）の点呼を中断なし連続して実施する場合、必要な時間は、（Ａ×４）である。一方、複数の点呼装置１を利用して４人の運転者がそれぞれ免許証確認、アルコール確認、睡眠時間、服装、持ち物の事前入力を行って中断しておき、その後、一人の点呼執行者が、残りの対面検査のみを各運転者と実施する場合は、４人分の点呼に必要な時間は、図１６（ｂ）に示すように、（Ｂ＋Ｃ×４）である。
【００８０】
図に示すように、（Ａ×４）＞（Ｂ＋Ｃ×４）であり、複数の点呼装置１を利用して運転者が自己検査の検査内容を事前入力しておく場合は、４人の点呼を中断せずに行う場合と比較して時間が短縮される。
【００８１】
このように複数の運転者の点呼を運転者の人数より少ない人数の点呼執行者が行う場合には、点呼の中断、再開を可能とすることで点呼業務全体が短時間に効率よく行うことができる。これにより、出庫や帰庫が集中し混雑する時間帯でも、従来の点呼フローと比較して点呼の待ち時間を短縮できるようになる。
【００８２】
なお、本発明の点呼システム１０は上述の実施形態に限定されない。例えば本実施形態では対面点呼を行っているが、アルコール検知器７や読取装置５を点呼装置１から離れた場所に点呼装置１と通信可能に設置し、電話等を併用して点呼執行者から離れた箇所にいる運転者のアルコール検査や点呼を行うことも可能である。
【００８３】
また本実施形態では運転者を特定するためにステップＳ１０２で運転者の運転免許証の基本情報２１０を読取装置５で読出してステップＳ１０５で基本情報２１０に対応する免許証データ２１を抽出しているが、運転者の氏名２１５等免許証データ２１の一部の情報を点呼装置１に直接入力し、当該情報に対応する免許証データ２１を抽出してもよい。
【００８４】
［第２の実施形態］
次に、図１７〜図２０を参照して本発明の第２の実施形態を説明する。第２の実施形態の点呼システム１０Ａは、サーバと１または複数のクライアント端末とが互いに通信接続された点呼システムである。なお、第２の実施形態は第１の実施形態と異なる点について説明し、同様の点については図等で同じ符号を付す等して説明を省略する。
【００８５】
図１７は本発明の第２の実施形態に係る点呼システム１０Ａの全体構成を示す図である。図１７に示すように、点呼システム１０は、サーバ９１とクライアント端末９５とがネットワーク９を介して互いに通信接続されている。またクライアント端末９５は、読取装置５及びアルコール検知器７等と通信接続される。サーバ９１はデータベース９２を有する。クライアント端末９５は、運転者または点呼執行者により操作される端末（タブレット、携帯端末、ノートＰＣ、デスクトップＰＣ等）であり、クライアント端末９５に入力された情報や指示をサーバ９１に送信する。またクライアント端末９５はサーバ９１から送信された情報や表示データを受信し、表示部に表示したり、指示に応じた処理を行ったりする。サーバ９１はクライアント端末９５から送信された情報や指示を受信し、データベース９２に記憶したり、指示に従った処理を行ったりする。
【００８６】
図１８は、点呼システム１０Ａの機能構成を示す図である。図１８に示すように、クライアント端末９５は、アルコール濃度入力部３１、検査内容入力部３２、免許証情報取得部３３、運転者情報入力部３４、中断指示部３６、及び送信部３７を備える。サーバ９１は、受信部３８、記録部３９、データベース９２を備える。
【００８７】
クライアント端末９５のアルコール濃度入力部３１、検査内容入力部３２、免許証情報取得部３３、運転者情報入力部３４、中断指示部３６は、第１の実施の形態のアルコール濃度入力部３１、検査内容入力部３２、免許証情報取得部３３、運転者情報入力部３４、中断指示部３６と同様である。
【００８８】
クライアント端末９５の送信部３７は、アルコール濃度入力部３１により入力されたアルコール濃度を運転者情報入力部３４から入力された運転者情報と対応づけてサーバ９１に送信する。また、送信部３７は、中断指示部３６から点呼の中断指示が入力されると、中断指示が入力されたときまでに検査内容入力部３２により入力された各検査項目の検査内容を、運転者情報入力部３４から入力された運転者情報と対応づけた中断データ２２を生成し、サーバ９１に送信する。
また、送信部３７は、点呼の終了指示または記録指示が入力されると、検査内容入力部３２により入力された各検査項目の検査内容やアルコール濃度入力部３１により入力されたアルコール濃度を、運転者情報入力部３４から入力された運転者情報と対応づけてサーバ９１に送信する。
【００８９】
サーバ９１の受信部３８は、クライアント端末９５の送信部３７から送信されたアルコール濃度や中断データ２２、各検査項目の検査内容の情報、運転手の情報を受信すると、これらを紐づけて記録部３９に入力する。
【００９０】
記録部３９は、受信部３８により受信したアルコール濃度や中断データ２２、各検査項目の検査内容の情報、運転手の情報を記憶部１２（データベース９２）に記憶する。
【００９１】
次に、図１９、図２０を参照して点呼システム１０Ａにおける点呼方法の流れを説明する。図１９、図２０は点呼システム１０Ａの処理を示すフローチャートであり、図のＳ２０１、Ｓ２０４〜Ｓ２０５、Ｓ２１０〜Ｓ２１２、Ｓ２１７〜Ｓ２１９、Ｓ２２２〜Ｓ２２５、Ｓ２２８、Ｓ２２９、Ｓ２３２〜Ｓ２３４はクライアント端末９５の制御部１１が実行する処理である。Ｓ２０２、２０３は読取装置５の制御部（不図示）が、Ｓ２１５、Ｓ２１６はアルコール検知器７の制御部（不図示）がそれぞれ実行する。Ｓ２０６〜Ｓ２０９、Ｓ２１３〜Ｓ２１４、Ｓ２２０〜Ｓ２２１、Ｓ２２６〜Ｓ２２７、Ｓ２３０、Ｓ２３１はサーバ９１の制御部１１が実行する処理である。
【００９２】
クライアント端末９５は、操作者（点呼執行者または運転者）の指示入力に応じてサーバ９１にアクセスし、ログイン処理を行った後、図８に示すような点呼画面１００を表示する（ステップＳ２０１）。点呼画面１００は第１の実施形態と同様に、運転免許確認画面１１０、アルコール検査画面１２０、点呼内容記録画面１３０、点呼状況確認画面１４０等を有する。
【００９３】
第１の実施の形態と同様に、運転者は運転免許証を読取装置５にかざし、読取装置５は運転免許証のICチップから基本情報２１０を読出し（ステップＳ２０２）、基本情報２１０をクライアント端末９５に送信する（ステップＳ２０３）。
【００９４】
クライアント端末９５は、基本情報２１０を受信する（ステップＳ２０４）と、サーバ９１に基本情報２１０を送信する（ステップＳ２０５）。
【００９５】
サーバ９１は基本情報２１０を受信すると（ステップＳ２０６）、当該基本情報２１０を含む免許証データ２１をデータベース９２から抽出し（ステップＳ２０７）、これにより運転免許証をかざした運転者がシステム上で特定される。
【００９６】
ここで、クライアント端末９５は、ステップＳ２０７で特定した運転者について、点呼の中断データ２２がデータベース９２に格納されているか否かを判定する（ステップＳ２０８）。中断データ２２がデータベース９２に格納されている場合（ステップＳ２０８；Ｙｅｓ）は、点呼の途中で中断された状態であるため図２０のステップＳ２３０の処理へ移行する。図２０の処理については後述する。
【００９７】
ステップＳ２０８において、運転者の点呼の中断データ２２が格納されていないと判定した場合（ステップＳ２０８；Ｎｏ）、サーバ９１は、ステップＳ２０７で抽出した免許証データ２１をクライアント端末９５に送信する（ステップＳ２０９）。クライアント端末９５は免許証データ２１を受信して、運転免許確認画面１１０に表示し（ステップＳ２１０）、点呼を開始する。図９はこの時の運転免許確認画面１１０の例である。
【００９８】
運転者は運転免許確認画面１１０の免許証画像２１４や有効期限２１３等を見て運転免許が有効であることを確認し、「出庫」ボタン１１３、「中間」ボタン１１４、「帰庫」ボタン１１５のいずれかを押下する。すると、クライアント端末９５は、入力内容（運転免許の確認結果（運転免許証が有効であること）、及び点呼日時１１２）を送信元の情報である運転者情報とともにサーバ９１に送信する（ステップＳ２１２）。サーバ９１は、クライアント端末９５から情報を受信し（ステップＳ２１３）、サーバ９１の記憶部１２に記録する（ステップＳ２１４）。
【００９９】
続いて、クライアント端末９５はアルコール検査画面１２０に図１０（ａ）に示すような初期画面を表示する。アルコール検査画面１２０では、カメラ６により撮影される運転者のリアルタイムの動画１２１が表示されるとともに、「呼気を吹きかけてください」のような操作ガイドがメッセージ欄１２２に表示される。運転者がアルコール検知器７の測定ボタン（不図示）を押し、アルコール検知器７に呼気を吹きかけると、アルコール検知器７は呼気中のアルコール濃度を測定し（ステップＳ２１５）、測定値をクライアント端末９５に送信する（ステップＳ２１６）。
【０１００】
点呼装置１は、アルコール濃度の測定値を受信する（ステップＳ２１７）と、図１０（ｂ）に示すように受信した測定値をアルコール濃度欄１２３に表示する（ステップＳ２１８）。メッセージ欄１２２には解析を完了した旨や操作ガイドが表示される。なお、アルコール濃度の測定値はアルコール濃度欄１２３に直接入力することも可能である。
【０１０１】
アルコール検査画面１２０の「確定」ボタン１２４が押下されると、クライアント端末９５は、アルコール濃度の測定値をサーバ９１に送信し（ステップＳ２１９）、サーバ９１は受信したアルコール濃度の測定値を送信元の情報である運転者情報と対応付けてサーバ９１のＲＡＭまたは記憶部１２に記録する（ステップＳ２２０、２２１）。
【０１０２】
続いて、クライアント端末９５は、点呼に含まれる各検査項目について検査を実施する。クライアント端末９５は、点呼内容記録画面１３０において検査内容の入力を受付ける（ステップＳ２２２）。
【０１０３】
ステップＳ２２２では、図１１に示す点呼内容記録画面１３０の点呼内容入力欄１３１に検査内容が入力され、表示される。入力された検査内容はクライアント端末９５のＲＡＭまたは記憶部１２に記録される（ステップＳ２２３）。
【０１０４】
未実施の検査項目が残った状態で「中断」ボタン１３４が押下されると（ステップＳ２２４；Ｙｅｓ）、クライアント端末９５は、図１２に示すようなダイアログボックス１５０を表示する。ダイアログボックス１５０の「はい」ボタン１５２が押下されると、クライアント端末９５は点呼を中断し、ここまでに入力された各検査項目の検査内容のデータを運転者の情報と対応付けた中断データ２２をサーバ９１に送信する（ステップＳ２２５）。サーバ９１は、クライアント端末９５から送信された中断データ２２を受信し（ステップＳ２２６）、記憶部１２（データベース９２）に記憶する（ステップＳ２２７）。
【０１０５】
点呼内容記録画面１３０において、全ての検査項目に検査内容が入力され、点呼執行者により、各入力欄の点呼内容が確認される。点呼執行者は、運転者が車両ナンバー１３１９の車両による乗務を行えることを確認すると、「点呼終了」ボタン１３５を押下する（ステップＳ２２４；Ｎｏ→ステップＳ２２８；Ｙｅｓ）。すると、クライアント端末９５は、点呼内容入力欄１３１に入力された検査内容を運転者情報と対応づけてサーバ９１に送信する（ステップＳ２２９）。サーバ９１は、クライアント端末９５から送信された検査内容及び運転者情報を受信し（ステップＳ２２６）、記憶部１２に記憶する（ステップＳ２２７）。以上で、点呼処理を終了する。
【０１０６】
次に、中断された点呼を再開する場合の処理の流れについて、図２０を参照して説明する。なお、中断データはサーバ９１のデータベース９２に記憶されているため、点呼を再開する際は、中断する前までに使用していたクライアント端末９５とは別のクライアント端末９５を使用して点呼を再開してもよい。
【０１０７】
免許証を読取装置５により読み取り、運転者情報を特定するまでの流れは、ステップＳ２０１からステップＳ２０７と同様である。
ステップＳ２０８において、中断データ２２がデータベース９２に格納されていると判定された場合（ステップＳ２０８；Ｙｅｓ）は、点呼の途中で中断された状態であるため図２０のステップＳ２３０の処理へ移行する。
【０１０８】
サーバ９１は、データベース９２からステップＳ２０７で特定した運転者の点呼の中断データ２２を読み出し（ステップＳ２３０）、クライアント端末９５に送信する（ステップＳ２３１）。クライアント端末９５は、サーバ９１から中断データを受信し（ステップＳ２３２）、点呼内容記録画面１３０の点呼内容入力欄１３１に中断データ２２の内容を反映して表示する（ステップＳ２３３）。点呼執行者は表示内容を確認した後、点呼を再開する。クライアント端末９５は検査未実施項目について入力を受付け（ステップＳ２３４）、図１９のステップＳ２２２以降の処理へ移行する。
【０１０９】
以上説明したように、第２の実施の形態の点呼システム１０Ａによれば、クライアント端末９５で入力した検査内容のデータはサーバ９１に送信され、サーバ９１の記憶部１２（データベース９２）に記録される。中断データ２２についても同様にクライアント端末９５からサーバ９１に送信され、サーバ９１の記憶部１２（データベース９２）に記録される。したがって、サーバ９１側で全てのクライアント端末９５の中断データ２２が管理されるので、中断したクライアント端末９５と再開するクライアント端末９５とが同じである必要はなく、例えば、ある運転手が中断したクライアント端末９５を他の運転者に渡して使用させ、再開するときは空いている別のクライアント端末９５を使用して点呼を再開するといった流れでも点呼を行うことが可能となる。これにより、点呼の分散作業を複数の点呼端末（クライアント端末９５）を用いて円滑に行うことが可能となる。また、サーバ９１に点呼の内容を記録しておけるため、クライアント端末９５の負荷を抑えることが可能となる。
【０１１０】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【０１１１】
１：点呼装置
２：データベース
５：読取装置
６：カメラ
７：アルコール検知器
９：ネットワーク
１０、１０Ａ：点呼システム
２１：免許証データ
２２：中断データ
３１：アルコール濃度入力部
３２：検査内容入力部
３３：免許証情報取得部
３４：運転者情報入力部
３５：記録部
３６：中断指示部
３７：送信部
３８：受信部
３９：記録部
９１：サーバ
９２：データベース
９５：クライアント端末
２１０：基本情報
２１１：免許証番号
２１２：交付年月日
２１３：有効期限
２１４：免許証画像
２１５：氏名
２１６：生年月日
２１７：免許取得日
２１８：免種
２１９：免許条件
【図１】
2020042328.tif 000003
【図２】
2020042328.tif 000004
【図３】
2020042328.tif 000005
【図４】
2020042328.tif 000006
【図５】
2020042328.tif 000007
【図６】
2020042328.tif 000008
【図７】
2020042328.tif 000009
【図８】
2020042328.tif 000010
【図９】
2020042328.tif 000011
【図１０】
2020042328.tif 000012
【図１１】
2020042328.tif 000013
【図１２】
2020042328.tif 000014
【図１３】
2020042328.tif 000015
【図１４】
2020042328.tif 000016
【図１５】
2020042328.tif 000017
【図１６】
2020042328.tif 000018
【図１７】
2020042328.tif 000019
【図１８】
2020042328.tif 000020
【図１９】
2020042328.tif 000021
【図２０】
2020042328.tif 000022